(57)【特許請求の範囲】
【請求項１】
イエローのインク、マゼンタのインク、シアンのインク及びブラックのインクを有し、
各色の前記インク相互の２５℃における起泡力の差が５０ｍｍ以下であり、
各色の前記インクは、着色剤、アニオン系界面活性剤、消泡剤及び浸透剤を含み、２５℃における起泡力が１００ｍｍ未満であり、
前記着色剤は、染料であり、
前記アニオン系界面活性剤は、ポリオキシエチレンアルキルエーテル酢酸塩系界面活性剤であり、
前記消泡剤は、シリコーン系のエマルジョン型消泡剤であり、
前記浸透剤は、２−エチル−１，３−ヘキサンジオールであることを特徴とするインクジェット記録用インクセット。
【請求項２】
イエローのインク、マゼンタのインク、シアンのインク及びブラックのインクを有し、
各色の前記インク相互の２５℃における起泡力の差が５０ｍｍ以下であり、
各色の前記インクは、着色剤、界面活性剤、消泡剤及び浸透剤を含み、２５℃における起泡力が１００ｍｍ未満であり、
前記着色剤は、自己分散型顔料であり、
前記イエローのインク、前記マゼンタのインク及び前記シアンのインクに含まれる界面活性剤は、アニオン系界面活性剤であり、
前記アニオン性界面活性剤は、ポリオキシエチレンアルキルエーテル酢酸塩系界面活性剤であり、
前記ブラックのインクに含まれる界面活性剤は、ノニオン系界面活性剤であり、
前記ノニオン系界面活性剤は、ポリオキシエチレンアルキルエーテル系界面活性剤であり、
前記消泡剤は、シリコーン系の自己乳化型消泡剤であり、
前記イエローのインク、前記マゼンタのインク及び前記シアンのインクに含まれる浸透剤は、２，２，４−トリメチル−１，３−ペンタンジオールであり、
前記ブラックのインクに含まれる浸透剤は、２−エチル−１，３−ヘキサンジオールであることを特徴とするインクジェット記録用インクセット。
【請求項３】
請求項１又は２に記載のインクジェット記録用インクセットを用いてカラー画像を形成することを特徴とするインクジェット記録方法。
【請求項４】
請求項１又は２に記載のインクジェット記録用インクセットのイエローのインク、マゼンタのインク、シアンのインク及びブラックのインクを飛翔させる手段を有することを特徴とするインクジェット記録装置。
【発明の詳細な説明】
【技術分野】
【０００１】  本発明はインクジェット記録用インクセット、インクジェット記録方法およびインクジェット記録装置に関する。
【背景技術】
【０００２】  インクジェットプリンターは、普通紙への印字が可能で、カラー化が容易であり、かつ小型で価格も安価で、しかもランニングコストが低いなどの理由から、近年、急速に普及してきている。【０００３】  インクジェットプリンターで用いられるインクジェット記録用のインクとしてはその発色性の良さや信頼性の高さ等の点から、当初は染料インクが主流であったが、近年に至り、記録画像に耐光性や耐水性を持たせるためにカーボンブラック等の顔料を用いたインキ組成物にも注目が集まっている。【０００４】  一般にインクジェット記録用インクに要求される特性としては、▲１▼色調、画像濃度、滲みなど、高画質を得、信頼性を達成することができるインク中の着色剤の溶解安定性や保存安定性等、▲２▼記録画像の保存性を確保することができる耐水性や耐光性等、▲３▼高速化を達成することができるインクの速乾性などが挙げられる。【０００５】  これらの要求特性を満たすよう、従来より様々な提案がなされてきている。【０００６】  特にインクの速乾性については、カラー画像においては色境界滲み等の画質にも影響が大きいため、インクの紙への浸透速度を上げるために、各種界面活性剤や浸透剤を添加して高画質を確保する試みが多数なされている。しかしながら、いずれも必ずしも充分な効果を得ていない。【０００７】  例えば、特開昭５５−２９５４６号公報記載の処方では、見かけ上の乾燥性は上がるものの、この処方は紙により著しく滲むという欠点があった。また、特公昭６０−２３７９３号公報によると、界面活性剤として、ジアルキルスルホコハク酸を添加すれば、乾燥性が向上し、画質劣化も少ないとしているが、従来から知られるジオクチルスルホ琥珀酸ナトリウムや、ジ（２−エチルヘキシル）スルホ琥珀酸ナトリウム等では、紙によって画素径が著しく異なるなどの問題があった。【０００８】  さらに、これらのインクは、界面活性剤が添加されているため、インクのカートリッジへの充填時、ヘッドへのカートリッジ装着時及び装着後のインク吸引時、あるいは印字中、印字休止時に気泡を巻き込みやすく、それが原因で、吐出不良を引き起こすことが多々あった。【０００９】  これらの気泡発生あるいは巻き込みを防止する目的では、以下のような提案がなされている。しかしながら、いずれもそれぞれ固有の不具合がある。【００１０】  例えば、特許第2707658号公報では、JIS3362-1970に基づくインクの起泡力及び泡の安定性が特定の範囲にあるものを使用することで、ヘッド及びインク供給系への濡れ性を向上させ、印字安定性を確保できるとしているが、この処方で向上するのはプラスチック部材への濡れ性であって、記録装置の構成部材の種類によっては効果がない。また特公平7-26049号公報によれば、JIS3362に基づく5分後の泡の安定度が0ｍｍ（1分後の泡の安定度が5ｍｍ未満）になるインクを使用すれば、吐出安定性が確保できるとしているが、この処方では炭素数５以下の低級アルキルアルコールを含有することが限定されており、汎用性がない。またこの処方は浸透性が低めで、高速印字時の画質が良くないという問題もある。また、特開2000-144026号公報では、特定のアセチレングリコール系の界面活性剤を用いることで高浸透性を保ちつつ、かつ泡立ちの少ないインクが得られるとしているが、この界面活性剤は着色剤の種類によっては、着色剤と疎水性相互作用を生じるため乾燥速度が向上せず、またカーボンブラックなどの顔料を用いたインクでは顔料が凝集しやすく、ノズルの目詰まり発生やインク噴射方向の曲がりなどを発生しやすい、といった問題がある。【００１１】  一方、界面活性剤を添加することなく乾燥速度を向上させる方法として、特開平8-113739号公報には染料と水溶性グリコールエーテル類を含むインクが提案され、特開平10-95941号公報には、顔料と、ジエチレングリコールモノ−ｎ−ブチルエーテルなどのグリコールエーテル類と水とからなるインク組成物が提案されている。しかしながら、いずれも、乾燥速度を向上するためには大量のグリコールエーテル類の添加が必要であり、インクの臭気や安全性の面で、好ましくないなどの問題がある。また、特開平7-331142号公報によれば、特定のグリコール系溶剤を含有させたカーボンブラックインクにおいて、消泡効果が得られるとあるが、この処方のインクでは浸透性が不充分であり、画質に問題がある。同様に特開平9-31380号公報により処方されたインクも、消泡効果はあるものの、界面活性剤等を含有していないために、紙に対する浸透性が遅く、画質が良くないという問題がある。
【発明が解決しようとする課題】
【００１２】  以上述べたように、従来のインクジェット記録用インクおよびインクジェットプリンターは、吐出安定性、特に印字中あるいは印字休止時の気泡巻き込み等による吐出不良が必ずしも充分に改善されたものではない。
【００１３】  また、従来、各色インク間で起泡性に差があると、吐出不良時の回復機構を色毎に変える必要が生じ、機構が複雑になり、信頼性維持機構を単一化することが難しくなる。さらに、カラーインクにおいて、YMC３色１体型のカートリッジを使用しているものなどは、そのうちの１色に吐出不良が発生し易い場合などは、その色のインクの減りが早くなり、ランニングコストも高くなる不都合が生じる。
【００１４】  本発明は上記の課題に鑑みてなされたものであり、吐出安定性、特に印字中あるいは印字休止時の気泡巻き込み等による吐出不良が改善され、また吐出不良が起こった際にも簡単な回復機構で信頼性が維持でき、高画質でかつノズル目詰まりのないインクジェット記録用インクセット、インクジェット記録方法及びインクジェット記録装置を提供することを目的とする。
【課題を解決するための手段】
【００１５】
本発明のインクジェット記録用インクセットは、イエローのインク、マゼンタのインク、シアンのインク及びブラックのインクを有し、各色の前記インク相互の２５℃における起泡力の差が５０ｍｍ以下であり、各色の前記インクは、着色剤、アニオン系界面活性剤、消泡剤及び浸透剤を含み、２５℃における起泡力が１００ｍｍ未満であり、前記着色剤は、染料であり、前記アニオン系界面活性剤は、ポリオキシエチレンアルキルエーテル酢酸塩系界面活性剤であり、前記消泡剤は、シリコーン系のエマルジョン型消泡剤であり、前記浸透剤は、２−エチル−１，３−ヘキサンジオールである。
本発明のインクジェット記録用インクセットは、イエローのインク、マゼンタのインク、シアンのインク及びブラックのインクを有し、各色の前記インク相互の２５℃における起泡力の差が５０ｍｍ以下であり、各色の前記インクは、着色剤、界面活性剤、消泡剤及び浸透剤を含み、２５℃における起泡力が１００ｍｍ未満であり、前記着色剤は、自己分散型顔料であり、前記イエローのインク、前記マゼンタのインク及び前記シアンのインクに含まれる界面活性剤は、アニオン系界面活性剤であり、前記アニオン性界面活性剤は、ポリオキシエチレンアルキルエーテル酢酸塩系界面活性剤であり、前記ブラックのインクに含まれる界面活性剤は、ノニオン系界面活性剤であり、前記ノニオン系界面活性剤は、ポリオキシエチレンアルキルエーテル系界面活性剤であり、前記消泡剤は、シリコーン系の自己乳化型消泡剤であり、前記イエローのインク、前記マゼンタのインク及び前記シアンのインクに含まれる浸透剤は、２，２，４−トリメチル−１，３−ペンタンジオールであり、前記ブラックのインクに含まれる浸透剤は、２−エチル−１，３−ヘキサンジオールである。
【００１６】  ここで、起泡力の差は、ＪＩＳ3362に基づく２５℃におけるインクの起泡力の差をいう。
【００２６】
本発明のインクジェット記録方法は、本発明のインクジェット記録用インクセットを用いてカラー画像を形成する。
【００２７】
本発明のインクジェット記録装置は、本発明のインクジェット記録用インクセットのイエローのインク、マゼンタのインク、シアンのインク及びブラックのインクを飛翔させる手段を有する。
【００２８】  ここで、インクジェット記録装置のインクの飛翔方式は、特に限定するものではなく、熱エネルギを用いたバブルジェット方式や圧力素子の力学的エネルギを用いた方式等周知の方式を適宜選定して用いることができる。
【発明を実施するための形態】
【００２９】  本発明の実施の形態について、以下に説明する。
【００３０】  本発明によれば、イエロー、マゼンタ、シアン及びブラックからなるインクセットにおいて、カラーインクのＪＩＳ3362に基づく２５℃におけるインクの起泡力の差を50ｍｍ以内に調整することで、吐出安定性に優れ、かつ吐出不良が起こった際にも簡単な回復機構で信頼性が維持できるインクジェット記録用インクセット（以下、単にインクセットということがある。）、インクジェット記録方法（以下、単に記録方法ということがある。）およびインクジェット記録装置（以下、単に記録装置ということがある。）を提供することが可能となった。
【００３１】  さらには、カラーインクとブラックインクのJIＳ3362に基づく２５℃におけるインクの起泡力の差を50ｍｍ以内に調整することで、吐出安定性に優れ、かつ吐出不良が起こった際にも簡単な回復機構で信頼性が維持できるインクセット、記録方法および記録装置を提供することが可能となった。
【００３２】  本発明のインクを用いれば、カートリッジへの充填も容易で、かつヘッドへの装填時の初期充填性能にも優れ、熱エネルギー及び力学的エネルギーのいずれを用いた記録を行う場合でも、印字中あるいは印字休止後の吐出不良及び画質不良が改善可能で、滲みのない、鮮明な画像を提供できる。また、さらには、本発明のインクセットを使用した記録装置は、回復機構が簡略化できるので、消費電力も少なく、環境負荷低減の効果もある。
【００３３】  インクの起泡力は、インクに浸透性を付与するために添加される界面活性剤種によるものが大きく、また、着色剤種によっても、その起泡力は異なってくる。そのため、従来のインクセットにおいては、その起泡性が色によって異なっており、吐出安定性を得るためには、単一の回復機構では、回復し難いものもあった。
【００３４】  本発明では、各色インク間のＪＩＳ3362に基づく起泡性の差が50ｍｍ以内であるように各インクを調整したインクセットを用いることで、信頼性を高めることが可能になったものである。
【００３５】  本発明のインクの構成は着色剤、湿潤剤、界面活性剤、及び浸透剤からなるが、さらに、起泡性を調整する目的で消泡剤を添加してもよい。
【００３６】  各色間の起泡性の差は、50ｍｍ以下に調整される必要があるが、さらに好ましくは起泡性の差が30ｍｍ以下に調整される。また各インク単独の起泡性については特に限定はしないが、望ましくは100ｍｍ未満であり、さらに好ましくは、50ｍｍ未満である。
【００３７】  各インクの泡の安定度に関しては、起泡力が望ましい範囲内であれば、特に限定しなくても問題は生じない。
【００３８】  以下、本発明にて使用されるインクの構成要素についてさらに詳細に説明する。
【００３９】  本発明で使用される着色剤として、染料または顔料等を用いることができる。
【００４０】  着色剤としての染料の具体例を以下に示すが、本発明はこれらに限定されるものではない。
酸性染料及び食用染料として、
Ｃ．Ｉ．アシッド・イエロー  １７，２３，４２，４４，７９，１４２
Ｃ．Ｉ．アシッド・レッド  １，８，１３，１４，１８，２６，２７，３５，３７，４２，５２，８２，８７，８９，９２，９７，１０６，１１１，１１４，１１５，１３４，１８６，２４９，２５４，２８９
Ｃ．Ｉ．アシッド・ブルー  ９，２９，４５，９２，２４９
Ｃ．Ｉ．アシッド・ブラック  １，２，７，２４，２６，９４
Ｃ．Ｉ．フード・イエロー  ２，３，４
Ｃ．Ｉ．フード・レッド  ７，９，１４
Ｃ．Ｉ．フード・ブラック  １，２
直接性染料として、
Ｃ．Ｉ．ダイレクト・イエロー  １，１２，２４，２６，３３，４４，５０，１２０，１３２，１４２，１４４，８６
Ｃ．Ｉ．ダイレクト・レッド  １，４，９，１３，１７，２０，２８，３１，３９，８０，８１，９３，８９，２２５，２２７
Ｃ．Ｉ．ダイレクト・オレンジ  ２６，２９，６２，１０２
Ｃ．Ｉ．ダイレクト・ブルー  １，２，６，１５，２２，２５，７１，７６，７９，８６，８７，９０，９８，１６３，１６５，１９９，２０２
Ｃ．Ｉ．ダイレクト・ブラック  １９，２２，３２，３８，５１，５６，７１，７４，７５，７７，１５４，１６８，１７１
塩基性染料として、
Ｃ．Ｉ．ベーシック・イエロー  １，２，１１，１３，１４，１５，１９，２１，２３，２４，２５，２８，２９，３２，３６，４０，４１，４５，４９，５１，５３，６３，４６５，６７，７０，７３，７７，８７，９１
Ｃ．Ｉ．ベーシック・レッド  ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２
Ｃ．Ｉ．ベーシック・ブルー  １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５
Ｃ．I．ベーシック・ブラック  ２，８
反応性染料として、
Ｃ．Ｉ．リアクティブ・ブラック  ３，４，７，１１，１２，１７
Ｃ．Ｉ．リアクテイブ・イエロー  １，５，１１，１３，１４，２０，２１，２２，２５，４０，４７，５１，５５，６５，６７
Ｃ．Ｉ．リアクティブ・レッド  １，１４，１７，２５，２６，３２，３７，４４，４６，５５，６０，６６，７４，７９，９６，９７
Ｃ．Ｉ．リアクティブ・ブルー  １，２，７，１４，１５，２３，３２，３５，３８，４１，６３，８０，９５
等が使用できるが、特に好ましいのは、酸性染料及び直接性染料である。
【００４１】  また本発明で使用される着色剤としての顔料は、特にその種類を限定するものではなく、無機顔料、有機顔料等を使用することができる。
【００４２】  無機顔料としては、酸化チタン及び酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
【００４３】  また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００４４】  これらの顔料のうち、特に、水と親和性の良いものが好ましく用いられる。
【００４５】  さらに、本発明において好ましく用いられる顔料の具体例として、黒色用としては、ファーネスブラック、ランプブラック、アセチレンブラック、チャンネルブラック等のカーボンブラック（C.I.ピグメントブラック７）類、または銅、鉄（C.I.ピグメントブラック１１）、酸化チタン等の金属類、アニリンブラック（C.I.ピグメントブラック１）等の有機顔料があげられる。また、カラー用としては、C.I.ピグメントイエロー１、３、１２、１３、１４、１７、２４、３４、３５、３７、４２（黄色酸化鉄）、５３、５５、７４、８１、８３、９５、９７、９８、１００、１０１、１０４、４０８、１０９、１１０、１１７、１２０、１２８、１３８、１５０、１５１、１５３、１８３、C.I.ピグメントオレンジ５、１３、１６、１７、３６、４３、５１、Ｃ．Ｉ．ピグメントレッド１、２、３、５、１７、２２、２３、３１、３８、４８：２、４８：２（パーマネントレジド2B(Ca））、４８：３、４８：４、４９：１、５２：２、５３：１、５７：１（ブリリアントカーミン6B）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、C.I.ピグメントバイオレット１（ローダミンレーキ）、３、５：１、１６、１９、２３、３８、Ｃ．１．ピグメントブルー１、２、１５（フタロシアニンブルー）、１５：１、１５：２、１５：３（フタロシアニンブルー）、１６、１７：１、５６、６０、６３、C.I.ピグメントグリーン１、４、７、８、１０、１７、１８、３６、等がある。
【００４６】  顔料は分散剤で水性媒体中に分散させて得られた顔料分散液としてインクに添加されるのが好ましい。
【００４７】  この場合、好ましい分散剤としては、従来公知の顔料分散液を調整するのに用いられる公知の分散剤を使用することができ、例えば以下のものが挙げられる。ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレンーマレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等がある。
【００４８】  上記各共重合体は、質量平均分子量が３，０００〜５０，０００であるのが好ましく、より好ましくは５，０００〜３０，０００、最も好ましくは７，０００〜１５、０００である。
【００４９】  分散剤の添加量は、顔料を安定に分散させ、本発明の他の効果を失わせない範囲で適宣添加されて良い。分散剤としては１：０．０６〜１：３の範囲が好ましく、より好ましくは１：０．１２５〜１：３の範囲である。
【００５０】  さらに好ましくは、上記インク中の分散剤にはカルボキシル基が結合していることが好ましい。分散剤にカルボキシル基が結合していると、分散安定性が向上するばかりではなく、高品位な印字品質が得られるとともに、印字後の記録媒体の耐水性がより向上する。更に上記の裏抜けを防止する効果が得られる。特に、カルボキシル基が結合している分散剤で分散した顔料と、浸透剤とを併用した場合においては、普通紙などの比較的サイズ度の高い記録媒体に印字した場合においても、十分な乾燥速度が得られ、且つ、裏抜けが少ないという効果が得られる。これは、カルボン酸の解離定数が他の酸基に比較して小さい為、顔料が記録媒体に付着した後、インクのｐＨ価の低下や、記録媒体表面近傍に存在するカルシウムなどの多価金属イオンとの相互作用などにより、分散剤自体の溶解度が低下し、分散剤自体や顔料が凝集する為と推定される。
【００５１】  さらに、最も好ましくは、表面に少なくとも１種の親水基が直接もしくは他の原子団を介して結合するように表面改質された顔料を用いる。
【００５２】  そのためには、顔料の表面に、ある特定の官能基（スルホン基やカルボキシル基等の官能基）を化学的に結合させるか、あるいはまた、次亜ハロゲン酸および／またはその塩を用いて湿式酸化処理するなどの方法が用いられる。なかでも好ましい形態は、顔料の表面にカルボキシル基が結合され、水中に分散され、または水中に溶解されている形態である。これも顔料が表面改質されカルボキシル基が結合しているために、分散安定性が向上するばかりではなく、高品位な印字品質が得られるとともに、印字後の記録媒体の耐水性がより向上する。またこの形態のインクは乾燥後の再分散性に優れるため、長期間印字を休止し、インクジェットヘッドのノズル付近のインクの水分が蒸発した場合も目詰まりを起こさず簡単なクリーニング動作で容易に良好な印字が行えるようになる。
【００５３】  また、このような自己分散型あるいは溶解型の顔料は、後述する界面活性剤及び浸透剤と組み合わせた時に、特に相乗効果が大きく、より信頼性の高い、高品位な画像を得ることが可能となる。
【００５４】  インク組成物中の着色剤の添加量は、0.5〜15質量％程度が好ましく、より好ましくは2〜10質量％程度である。また染料単独、顔料単独のみならず、染料顔料の両方を組み合わせて使用しても良い。
【００５５】  本発明の好ましい態様によれば、前記インク中の顔料は平均粒径が50nm〜200nmの範囲である。ここでいう平均粒径とは、体積累積パーセント50％の値をさす。体積累積パーセント50％の値を測定するには、例えば、インク中のブラウン運動を行っている粒子にレーザー光を照射し、粒子から戻ってくる光（後方散乱光）の振動数（光の周波数）の変化量から粒子径を求める動的光散乱法（ドップラー散乱光解析）といわれる方法を用いることができる。
【００５６】  本発明で使用される湿潤剤としては、特に限定されるものではないが、多価アルコールアルキルエーテル及び／または多価アルコールアリールエーテル水溶性有機溶媒が好ましく用いられる。これら湿潤剤を含有することによりインクの水分蒸発を防止しインク吐出口での着色剤の析出、粘度上昇による吐出不良をより良く抑制することができ吐出信頼性の高い水性顔料インク組成物を提供することができる。
【００５７】  上記の多価アルコールアルキルエーテル類としては、例えば、エチレングリコ−ルモノエチルエ−テル、エチレングリコ−ルモノブチルエ−テル、ジエチレングリコ−ルモノメチルエ−テル、ジエチレングリコ−ルモノエチルエ−テル、ジエチレングリコールモノブチルエ−テル、テトラエチレングリコールモノメチルエーテル、プロピレングリコ−ルモノエチルエ−テル等が挙げられ、多価アルコールアリールエーテルとしては例えば、エチレングリコ−ルモノフェニルエ−テル、エチレングリコ−ルモノベンジルエ−テル等が挙げられる。これら水溶性有機溶媒のインク中の含有量としては、5質量％〜30質量％が好ましく、さらに好ましくは、10質量％〜30質量％である。30質量％以上添加すると、水性インクの粘度が高くなってしまい、吐出安定性に影響を与えてしまうことが多い。
【００５８】  また、インクの水分蒸発を防止する目的として上記水溶性有機溶媒と組み合わせて用いられる水溶性有機溶媒としては例えば、下記に示す水溶性有機溶媒が挙げられる。
エチレングリコ−ル、ジエチレングリコ−ル、トリエチレングリコ−ル、ポリエチレングリコ−ル、ポリプロピレングリコ−ル、１，５ペンタンジオール、１、６ヘキサンジオ−ル、グリセロ−ル、１、２、６−ヘキサントリオール、１、２、４−ブタントリオ−ル、１、３、３−ブタントリオ−ル、ペトリオール等の多価アルコ−ル類、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、ホルムアミド、Ｎ，Ｎ−ジメチルホルムアミド等のアミド類；モノエタノ−ルアミン、ジエタノ−ルアミン、トリエタノ−ルアミン、モノエチルアミン、ジエチルアミン、トリエチルアミン等のアミン類、ジメチルスルホキシド、スルホラン、チオジエタノ−ル等の含硫黄化合物類、プロピレンカ−ボネ−ト、炭酸エチレン、γ−ブチロラクトン等である。
【００５９】  本発明においては、紙への浸透性を高め、速乾燥性で、文字にじみ、境界にじみを更に低減させた高品位な画像を得ることを目的に、界面活性剤も添加される。
【００６０】  添加される界面活性剤としては特に限定されるものではなく、両性界面活性剤、ノニオン系界面活性剤、アニオン系界面活性剤のいずれも使用可能であるが、好ましくはノニオン系界面活性剤及び/または、アニオン系界面活性剤であり、更に好ましくは、ポリオキシエチレンアルキルエーテル系界面活性剤、及び/または、ポリオキシエチレンアルキルエーテル酢酸塩系界面活性剤である。
【００６１】  以下、好ましい界面活性剤の具体例を遊離酸型で示すが、本発明はこれらに限定されるものではない。
まず、ポリオキシエチレンアルキルエーテル系界面活性剤の具体例としては、下記式（１−１）〜（１−１３）の化合物が挙げられる。
【００６２】
【化１】
0005211413.tif 000002
但し、上記式（１−１）〜（１−１３）の化合物に限定されるものではない。
【００６３】  これらは、単独で用いても、複数のものを混合して用いてもよい。単独では記録液中で容易に溶解しない場合も、混合することで可溶化され、安定に存在することができる。
【００６４】  市販の界面活性剤で上記の化合物を主成分として含有するものとしては、日光ケミカルズ（株）より入手可能なBTシリーズ、日本触媒（株）より入手可能なソフタノールシリーズ、日本油脂（株）ホり入手可能なディスパノールなどを挙げることができる。
【００６５】  また、ポリオキシエチレンアルキルエーテル酢酸塩系界面活性剤の具体例としては、下記式（２−１）〜（２−１３）の化合物を挙げることができる。
【００６６】
【化２】
0005211413.tif 000003
但し、上記式（２−１）〜（２−１３）の化合物に限定されるものではない。
【００６７】  またこれらは、単独で用いても、複数のものを混合して用いてもよい。単独では記録液中で容易に溶解しない場合も、混合することで可溶化され、安定に存在することができる。
【００６８】  また、合成時の副生成物として生成される無機塩をイオン交換樹脂で精製除去することが好ましい。
【００６９】  市販の界面活性剤で上記化合物を主成分として含有するものとしては、日光ケミカルズ(株)より入手可能なNIKKOL  ECTシリーズ、NIKKOL  AKYPOシリーズ、三洋化成（株）より入手可能なビューライトシリーズ等の界面活性剤が挙げられる。
【００７０】  本発明の界面活性剤の含有量としては、0.05質量％〜10質量％が適当であり、0.1質量％〜5質量％がより好ましく、さらに好ましくは0.1質量％〜3質量％である。界面活性剤の含有量が0.05質量％より少ない場合は記録紙への浸透性を十分に高めることが出来ない。10質量％より多い場合はインクの増粘や、界面活性剤自体の低温での析出が問題となることがある。
【００７１】  本発明においては、浸透性を高める目的で浸透剤をさらに添加する。
【００７２】  好ましい浸透剤としてはとして、２，２，４−トリメチル−１，３−ペンタンジオール、２−エチル−１、３−ヘキサンジオールが挙げられる。これらを単独、あるいは混合して添加することにより、高速印字時でもにじみを低減することが可能となり、また吐出安定性及び吐出応答性を向上させることができる。
【００７３】  本発明で使用される消泡剤としては、シリコン系の消泡剤が好ましく用いられる。
【００７４】  一般にシリコン系消泡剤には、オイル型、コンパウンド型、自己乳化型、エマルジョン型などがあるが、水系での使用を考慮すると、自己乳化型、もしくはエマルジョン型を用いることが、信頼性を確保する上で望ましい。また、アミノ変性、カルビノール変性、メタクリル変性、ポリエーテル変性、アルキル変性、高級脂肪酸エステル変性、アルキレンオキサイド変性、等の変性シリコン系消泡剤を使用しても良い。
【００７５】  市販のシリコン系消泡剤で入手可能なものとしては、信越化学工業（株）のシリコーン消泡剤（KS508、KS531、KM72、KM85など）、東レ・ダウ・コーニング（株）のシリコーン消泡剤（Q2-3183A、SH5510など）、日本ユニカー（株）のシリコーン消泡剤（SAG30など）、旭電化工業(株)の消泡剤（アデカノールシリーズ）などが挙げられる。
【００７６】  これら消泡剤のインクへの添加量は、効果がある最小量で良いが、一般には0.001質量％〜3質量％の範囲が望ましく、より好ましくは、0.005質量％〜0.5質量％の範囲である。
【００７７】  その他、本発明においては、必要に応じて防腐剤、防かび剤、防錆剤、ｐＨ調整剤、酸化防止剤、酸素吸収剤、紫外線吸収剤等々を含むことができる。
【実施例】
【００７８】  実施例および比較例を挙げて、本発明をさらに説明する。なお、本発明は、以下に説明する実施例に限定されるものではない。【００７９】  下記処方のインク組成物を作成し室温にて十分に攪拌した後、平均孔径0.2μｍのメンブレンフィルターにて濾過を行い、実施例インクセット１を得た。
0005211413.tif 000004
0005211413.tif 000005
下記処方のインク組成物を作成し室温にて十分に攪拌した後、平均孔径0.8μｍのメンブレンフィルターにて濾過を行い、実施例インクセット２を得た。
0005211413.tif 000006
0005211413.tif 000007
下記処方のインク組成物を作成し室温にて十分に攪拌した後、平均孔径0.2μｍのメンブレンフィルターにて濾過を行い、比較例インクセット１を得た。
0005211413.tif 000008
0005211413.tif 000009
下記処方のインク組成物を作成し室温にて十分に攪拌した後、平均孔径0.8μｍのメンブレンフィルターにて濾過を行い、比較例インクセット２を得た。
0005211413.tif 000010
0005211413.tif 000011
上記実施例インクセット１、２、比較例インクセット１、２について、下記評価１、２及び３を行った。【００８０】  評価１：JIS3362に基づく、インクの起泡力と泡の安定度の測定
JIS3362に基づく起泡力と泡の安定度試験を２５℃の環境下で行い、各インク間での起泡力の差を算出した。【００８１】  評価２：カートリッジ装填時の初期充填性能の評価
各インクを脱気してカートリッジに充填し、IPSiO JET 300に装填後、初期充填動作を行い、その後ノズルチェックパターンを印字させ、初期充填性能を評価した。評価は、ノズル抜けが無くなるまでに行った初期充填動作回数で評価し、１回で充填できたものを◎、それ以外を×とした。【００８２】  評価３：印字中の回復動作回数とインク使用量の評価
各インクを充填したIPSiO JET 300を用い、各色毎にベタ画像を打たせ、ノズル抜けが生じたら、回復動作を行い、１色につき、全部でＡ４20枚を印字させた。印字前後のカートリッジの質量を測定し、使用したインクの量を算出し、また印字中に行った回復動作の回数をチェックした。【００８３】  以上の結果を表１に示す。【００８４】
【表１】
0005211413.tif 000012
カラーインクの起泡力に差があると、そのインクだけ吐出不良に伴う回復動作が多くなり、印字速度の律速となり、またインクの使用量も多くなるため、特にカラーカートリッジが一体型であるような場合には、インクの無駄が起こりやすく、ランニングコストも高くなる。またカラー及びブラックインクの起泡力についても同様に、差が小さい方が、初期充填動作も１回で良好となり、吸引モードなどの信頼性維持機構が簡略化できる。
［比較例インクセット３］
実施例インクセット１の各インクから、界面活性剤及び浸透剤（２−エチル−１、３−ヘキサンジオール）を抜いたほかは同様にして、比較例インクセット３を作製した。
［比較例インクセット４］
実施例インクセット１の各インクから、浸透剤（２−エチル−１、３−ヘキサンジオール）を抜いたほかは同様にして、比較例インクセット４を作製した。
［比較例インクセット５］
実施例インクセット２の各インクの界面活性剤種を、フッ素系界面活性剤に変えたほかは同様にして、比較例インクセット５を作製した。【００８５】  上記実施例インクセット１、及び比較例インクセット３、４、５について、下記評価４を行った。
評価４：画像評価
評価３で使用したプリンターを用い、カラー画像を印字し、その文字滲み、及び色境界滲みについて目視で評価を行った。評価用紙は普通紙を使用した。評価は、滲みがないを◎、滲みがほとんどないを○、滲みが若干あるを△、滲みが明確を×とした。【００８６】  以上の結果を表２に示す。【００８７】
【表２】
0005211413.tif 000013
インクに界面活性剤、浸透剤を含有しないインクは、紙への浸透性が悪く、特に高速で印字した場合には、色境界での滲みが大きくなり、画質が低下する。
［実施例インクセット３］
実施例インクセット２のカラーインクの顔料分散体をキャボット社の自己分散タイプの顔料分散体に変えたほかは同様にして、実施例インクセット３を作製した。【００８８】  上記実施例インクセット２、３、及び比較例インクセット５について、下記評価５を行った。【００８９】  評価５：吐出安定性評価
評価３で使用したプリンターを用い、ベタ画像を連続で印字し、吐出不良が発生するまでの時間（秒）を測定した。【００９０】  以上の結果を表３に示す。【００９１】
【表３】
0005211413.tif 000014
顔料インクは分散剤分散タイプのものよりも、自己分散タイプのものの方が吐出安定性が高い。またフッ素系界面活性剤を添加したものは、画質は悪くないが、吐出安定性が不充分であった。
［比較例インクセット６］
実施例インクセット２の消泡剤ＫＳ531をＫＳ607（シリコン系消泡剤のオイル型）に変えたほかは同様にして、比較例インクセット６を作製した。
［比較例インクセット７］
実施例インクセット２の消泡剤を非シリコン系消泡剤に変えたほかは同様にして、比較例インクセット７を作製した。【００９２】  上記実施例インクセット１、２、及び比較例インクセット６、７について、下記評価６を行った。【００９３】  評価６：経時安定性評価
各インクを７０℃環境下で１０日間保存し、保存前後でのインクの起泡力を評価１の方法で測定した。保存前後で起泡力に差が生じないものを◎、保存後の起泡力の低下が、保存前の30％未満の場合を○、30％以上50％未満の場合を△、50％以上の場合を×とした。【００９４】  以上の結果を表４に示す。【００９５】
【表４】
0005211413.tif 000015
消泡剤は、自己乳化型かエマルジョン型のものが経時安定性に優れる。
【発明の効果】
【００９６】  本発明によれば、高浸透性を保ったまま、インクの起泡性を制御することで、吐出安定性に優れたインクセットを提供することができる。また吐出不良が起こった際にも簡単な回復機構で信頼性が維持でき、高画質でかつノズル目詰まりのないインクセット、及びそれを用いた記録方法及び記録装置を提供することにある。
さらに本発明のインクセットを用いれば、消費電力を節減できるため、環境への負荷低減も可能となる。